(57)【要約】【課題】他のＩ／Ｆ変換回路に影響を与えなくＩ／Ｆ変換回路を交換する。【解決手段】回線網相互間のＩ／Ｆ変換を実施するＩ／Ｆ変換回路と制御回路とを有する複数のＩ／Ｆ変換ユニット１６ａ、１６ｂと、Ｉ／Ｆ変換ユニットに供給するための駆動電源を出力する電源回路と監視回路とを有する２個の電源ユニット１７ａ、１７ｂと、各Ｉ／Ｆ変換ユニット及び各電源ユニットが同時に着脱可能な結合ユニット１０と、この結合ユニット内に設けられ、各電源ユニットから出力された駆動電源を各Ｉ／Ｆ変換ユニットへ共通に供給するとともに、各電源ユニットから出力された状態信号を共通に各Ｉ／Ｆ変換ユニットへ転送する接続回路２４とを備えている。【選択図】　　図３
2004007253.tif 000002
【特許請求の範囲】
【請求項１】
互いに異なるインタフェース規格を有する一対の回線網相互間のインタフェース変換を実施するインタフェース変換回路（１ａ、１ｂ）とこのインタフェース変換回路の動作を制御する制御回路（２２ａ、２２ｂ）とがケース内に組込まれた複数のインタフェース変換ユニット（１６ａ、１６ｂ）と、
前記各インタフェース変換ユニットに供給するための駆動電源を出力する電源回路（２５ａ、２５ｂ）とこの電源回路の状態を監視して状態信号を出力する監視回路（２７ａ、２７ｂ）とがケース内に組込まれた２個の電源ユニット（１７ａ、１７ｂ）と、
前記各インタフェース変換ユニット及び前記各電源ユニットがそれぞれソケットを介して同時に着脱可能な複数のユニット収納部を有する結合ユニット（１０）と、
この結合ユニット内に設けられ、前記各電源ユニットから出力された駆動電源を各インタフェース変換ユニットへ共通に供給するとともに、前記各電源ユニットから出力された状態信号を共通に各インタフェース変換ユニットへ転送する接続回路（２４）と
を備えた回線網相互接続装置。
【請求項２】
前記各制御回路は入力された状態信号に基づいて警告信号を出力し、
前記電源ユニットは入力された警告信号を外部へ出力する警告出力端子を有し、
前記接続回路は各インタフェース変換ユニットから出力された警告信号を前記各電源ユニットへ転送する
ことを特徴とする請求項１記載の回線網相互接続装置。
【発明の詳細な説明】
【０００１】
【発明の属する技術分野】
本発明は、互いに異なるインタフェース規格を有する回線網相互間を接続する回線網相互接続装置に関する。
【０００２】
【従来の技術】
情報通信ネットワークにおいては、情報を効率的に伝送するために、例えば伝送速度や、伝送フォーマットや、同期・非同期等が異なる複数のインタフェース規格が採用されている。
【０００３】
例えば、北米、ヨーロッパで採用されているＳＯＮＥＴ／ＳＤＨ（Ｓｙｎｃｈｒｏｎｏｕｓ　Ｏｐｔｉｃａｌ　Ｎｅｔｗｏｒｋ　同期光通信網／Ｓｙｎｃｈｒｏｎｏｕｓ　Ｄｉｇｉｔａｌ　Ｈｉｅｒａｒｃｈｙ　同期デジタル・ハイアラーキ）におけるＯＣ―１２／ＳＴＭ（Ｓｙｎｃｈｒｏｎｏｕｓ　Ｔｒａｎｓｐｏｒｔ　Ｍｏｄｕｌｅ　同期転送モジュール）―４においては、データの伝送速度は６２２Ｍｂｐｓであり、ユーザ（通信事業者）宅内に設置されたＬＡＮ（Ｌｏｃａｌ　Ａｒｅａ　Ｎｅｔｗｏｒｋ　構内ネットワーク）の１０００ＢＡＳＥ―ＳＸにおいては非同期でデータの伝送速度は１Ｇｂｐｓである。
【０００４】
したがって、ユーザ（通信事業者）宅内には、ＳＯＮＥＴを介して他のユーザ（通信事業者）と情報交換を実施するためのインタフェース変換回路を設置する必要がある。
【０００５】
大規模なユーザ（通信事業者）宅内には複数のＳＯＮＥＴ網が構築されている場合もある。このような場合、ＬＡＮ毎にＳＯＮＥＴと接続するためのインタフェース変換回路を設置する必要がある。
【０００６】
図５は、ユーザ（通信事業者）宅内に設置される複数のインタフェース変換回路（以下Ｉ／Ｆ変換回路と略記する）が組込まれた回線網相互接続装置の概略構成を示すブロック図である。
【０００７】
例えば同一構成のＩ／Ｆ変換回路１ａ、１ｂ、１ｃには、例えばＳＯＮＥＴ等の同期回線網２とＬＡＮ等の非同期回線網３とが接続されている。各Ｉ／Ｆ変換回路１ａ〜１ｃは、同期回線網２と非同期回線網３との間におけるインタフェース変換を実施し、同期回線網２と非同期回線網３との間で通信を可能としている。具体的には、ＬＡＮの１０００ＢＡＳＥ―ＳＸのイーサネット（登録商標）フレームをＰＰＰ（Ｐｏｉｎｔ　ｔｏ　Ｐｏｉｎｔ　Ｐｒｏｔｏｃｏｌ）カプセル化し、ＳＯＮＴ　ＯＣ１２（６２２Ｍｂｐｓ）伝送パスのペイロードにマッピングする。
【０００８】
各Ｉ／Ｆ変換回路１ａ〜１ｃにはバス４を介して制御回路５が接続されている。制御回路５は各Ｉ／Ｆ変換回路１ａ〜１ｃに対するパラメータ等の各種設定や、各Ｉ／Ｆ変換回路１ａ〜１ｃの動作を制御する。また、各Ｉ／Ｆ変換回路１ａ〜１ｃ及び制御回路５には、電源装置６から電源線７を介して駆動電源が供給される。
【０００９】
図５に示すように構成された回線網相互接続装置においては、各Ｉ／Ｆ変換回路１ａ〜１ｃは１台の制御回路５で制御され、１台の電源装置６から駆動電源が供給されるので、回線網相互接続装置全体の構成を簡素化でき、製造費を節減できる。
【００１０】
しかし、ユーザ（通信事業者）宅内に設置された一部のＬＡＮの変更等に起因して、回線網相互接続装置内に組込まれた一つのＩ／Ｆ変換回路１ａ〜１ｃを差し替える必要が生じた場合において回線網相互接続装置を稼働状態で差し替えを実施すると、バス４を介して他の稼働中のＩ／Ｆ変換回路１ａ〜１ｃへ雑音が入り、他のＩ／Ｆ変換回路１ａ〜１ｃの動作に悪影響を与える懸念がある。さらに、制御回路５又は電源装置６が故障した場合は、回線網相互接続装置全体の動作が停止し、ユーザ（通信事業者）における通信業務全体が停止する懸念がある。
【００１１】
このような不都合を解消するために、図６に示すように、各Ｉ／Ｆ変換回路１ａ、１ｂ毎に専用の制御回路５ａ、５ｂ及び専用の電源装置６ａ、６ｂを設け、それぞれ別々のケース８ａ、８ｂに収納することが提唱されている。
【００１２】
しかし、この図６に示す回線網相互接続装置においては、各Ｉ／Ｆ変換回路１ａ、１ｂはそれぞれ専用の電源装置６ａ、６ｂで駆動されるので、いずれかの電源装置６ａ、６ｂに故障が生じた場合は、該当電源装置６ａ、６ｂに対応するＩ／Ｆ変換回路１ａ、１ｂは動作が停止する問題がある。特に、電源装置はＩ／Ｆ変換回路や制御回路に比較して故障や異常の発生する確率が高いので、回線網相互接続装置全体の信頼性は、図５に示した回線網相互接続装置に比較して、さほど向上することはない。
【００１３】
そこで、図７に示すように、各Ｉ／Ｆ変換回路１ａ、１ｂが収納されたケース８ａ、８ｂ内ににそれぞれ同一構成の２台の電源装置６ａａ、６ａｂ、６ｂａ、６ｂｂを収納する回線網相互接続装置が提唱されている。このように構成することにより、電源装置の冗長化を図ることができ、回線網相互接続装置全体の信頼性を向上できる。
【００１４】
【発明が解決しようとする課題】
しかしながら、図７に示す回線網相互接続装置においてもまだ改良すべき次のような課題があった。
【００１５】
すなわち、各Ｉ／Ｆ変換回路に対してそれぞれ２台の電源装置が必要であるので、Ｉ／Ｆ変換回路の設置台数の２倍の数の電源装置が必要であり、回線網相互接続装置全体の設備費が大幅に上昇する。
また、各Ｉ／Ｆ変換回路毎に専用のケース８ａ、８ｂに収納されているので、回線網相互接続装置全体の必要設置空間が増大する。
【００１６】
本発明はこのような事情に鑑みてなされたものであり、各Ｉ／Ｆ変換回路を安定して動作させるために必要最小限の部材構成で実現でき、かつ動作中の他のＩ／Ｆ変換回路に悪影響を与えることなく任意のＩ／Ｆ変換回路を交換でき、装置全体の製造費を節減でき、かつ信頼性を向上できる回線網相互接続装置を提供することを目的とする。
【００１７】
【課題を解決するための手段】
上記課題を解消するために、本発明の回線網相互接続装置においては、互いに異なるインタフェース規格を有する一対の回線網相互間のインタフェース変換を実施するインタフェース変換回路とこのインタフェース変換回路の動作を制御する制御回路とがケース内に組込まれた複数のインタフェース変換ユニットと、各インタフェース変換ユニットに供給するための駆動電源を出力する電源回路とこの電源回路の状態を監視して状態信号を出力する監視回路とがケース内に組込まれた２個の電源ユニットと、各インタフェース変換ユニット及び各電源ユニットがそれぞれソケットを介して同時に着脱可能な複数のユニット収納部を有する結合ユニットと、この結合ユニット内に設けられ、各電源ユニットから出力された駆動電源を各インタフェース変換ユニットへ共通に供給するとともに、各電源ユニットから出力された状態信号を共通に各インタフェース変換ユニットへ転送する接続回路とを備えている。
【００１８】
このように構成された回線網相互接続装置においては、インタフェース変換回路（Ｉ／Ｆ変換回路）が組込まれた複数のインタフェース変換ユニット（以下Ｉ／Ｆ変換ユニットと略記する）及び電源回路が組込まれた複数の電源ユニットは結合ユニットの各ユニット収納部にソケットを介して簡単に装着でき、かつ簡単に取外せる。
【００１９】
この結合ユニットの各ユニット収納部に装着された２個の電源ユニットから出力される駆動電源は、結合ユニット内に組込まれた接続回路を介して各Ｉ／Ｆ変換ユニットに常時共通に供給されている。したがって、２個の電源ユニットのうちの一方の電源ユニットが故障しても他方の正常な電源ユニットから継続して、各Ｉ／Ｆ変換ユニットに駆動電源が供給される。よって、各Ｉ／Ｆ変換ユニットは一瞬も動作を中断することなく、各回線網相互間のインタフェース変換を実施できる。
【００２０】
また、各Ｉ／Ｆ変換ユニット内には、Ｉ／Ｆ変換回路を専用に制御する制御回路が組込まれているので、このＩ／Ｆ変換ユニットを結合ユニットに装着したり、結合ユニットから取外したりしても、動作中の他のＩ／Ｆ変換ユニットに悪影響を与えることはない。すなわち、各Ｉ／Ｆ変換ユニットの活線挿脱が可能である。
【００２１】
また、別の発明は、上述した発明の回線網相互接続装置における各Ｉ／Ｆ変換ユニット内に組込まれた制御回路は入力された状態信号に基づいて警告信号を出力する。また、電源ユニットは入力された警告信号を外部へ出力する警告出力端子を有し、結合ユニットに組込まれた接続回路は各インタフェース変換ユニットから出力された警告信号を各電源ユニットへ転送する。
【００２２】
このように構成された回線網相互接続装置においては、例えば電源ユニットに異常が生じると、警告信号が電源ユニットの警告出力端子から出力される。
【００２３】
【発明の実施の形態】
以下、本発明の各実施形態を図面を用いて説明する。
（第１実施形態）
図１は本発明の第１実施形態に係る回線網相互接続装置の一部を構成する結合ユニットを取出して示す斜視図であり、図２は同結合ユニットの上面図である。図５〜図７に示す従来の回線網相互接続装置と同一部分には同一符号を付して重複する部分の詳細説明を省略する。
【００２４】
図１、図２に示すように、結合ユニット１０には、それぞれＩ／Ｆ変換ユニット１６ａ、１６ｂが着脱可能な２個のユニット収納部１１ａ、１１ｂと、それぞれ同一構成の電源ユニット１７ａ、１７ｂが着脱可能な２個のユニット収納部１２ａ、１２ｂとが形成されている。各ユニット収納部１１ａ、１１ｂ、１２ａ、１２ｂ内における結合ユニット１０の中央部１３の壁面にはそれぞれソケット１４ａ、１４ｂ、１５ａ、１５ｂが取付けられている。各Ｉ／Ｆ変換ユニット１６ａ、１６ｂ及び電源ユニット１７ａ、１７ｂの対向位置には同じくソケット１８ａ、１８ｂ、１９ａ、１９ｂが取付けられている。
【００２５】
したがって、各Ｉ／Ｆ変換ユニット１６ａ、１６ｂ及び電源ユニット１７ａ、１７ｂを結合ユニット１０の各ユニット収納部１１ａ、１１ｂ、１２ａ、１２ｂへ挿入すると、各Ｉ／Ｆ変換ユニット１６ａ、１６ｂ及び電源ユニット１７ａ、１７ｂは自動的に結合ユニット１０と電気的に接続される。
【００２６】
各Ｉ／Ｆ変換ユニット１６ａ、１６ｂには、例えばＳＯＮＥＴ等の同期回線網２とＬＡＮ等の非同期回線網３とが接続されている。また、各電源ユニット１７ａ、１７ｂには警告出力端子としてのリレー出力端子２０ａ、２０ｂが取付けられ、各電源ユニット１７ａ、１７ｂにはＡＣ電源又はＤＣ電源の入力端子２１ａ、２１ｂが取付けられている。
【００２７】
図３は、この第１実施形態の回線網相互接続装置の概略構成を示すブロック図である。
それぞれ図示しない直方体形状のケースに収納された各Ｉ／Ｆ変換ユニット１６ａ、１６ｂ内には、自己に接続された同期回線網２と非同期回線網３との間の前述したインタフェース交換を実施するＩ／Ｆ変換回路１ａ、１ｂ、制御回路２２ａ、２２ｂ、レギュレータ２３ａ、２３ｂが組込まれている。
【００２８】
制御回路２２ａ、２２ｂは、Ｉ／Ｆ変換回路１ａ、１ｂの動作を制御するとともに、結合ユニット１０の中央部１３内に形成された接続回路２４からソケット１４ａ、１４ｂ、１８ａ、１８ｂを介して供給された電源ユニット１７ａ、１７ｂの状態信号に基づいて警告信号をソケット１８ａ、１８ｂ、１４ａ、１４ｂを介して接続回路２４へ送出する。
【００２９】
レギュレータ２３ａ、２３ｂは、各電源ユニット１７ａ、１７ｂから接続回路２４、ソケット１４ａ、１４ｂ、１８ａ、１８ｂを介して供給される直流＋５Ｖの駆動電源をＩ／Ｆ変換回路１ａ、１ｂ、制御回路２２ａ、２２ｂへ供給する。
【００３０】
一方、それぞれ図示しない直方体形状のケースに収納された各電源ユニット１７ａ、１７ｂ内には、電源回路２５ａ、２５ｂと監視回路２７ａ、２７ｂとが設けられている。
【００３１】
電源回路２５ａ、２５ｂは、入力端子２１ａ、２１ｂからに入力されたＡＣ電源又はＤＣ電源から例えば直流＋５Ｖの駆動電源を生成して、逆流防止用のダイオード２６ａ、２６ｂ、ソケット１９ａ、１９ｂ、１５ａ、１５ｂを介して結合ユニット１０の中央部１３内に形成された接続回路２４へ供給する。なお、各電源回路２５ａ、２５ｂはそれぞれ単独で両方のＩ／Ｆ交換ユニット１６ａ、１６ｂを十分に正常に動作させるだけの電源容量を有している。
【００３２】
監視回路２７ａ、２７ｂは、入力端子２１ａ、２１ｂにＡＣ電源又はＤＣ電源が正常に入力されているか、電源回路２５ａ、２５ｂが正常に駆動電源を出力しているか、電源回路２５ａ、２５ｂの温度が限界温度以上に上昇していないか等の監視を行い状態信号をソケット１９ａ、１９ｂ、１５ａ、１５ｂを介して結合ユニット１０の中央部１３内に形成された接続回路２４へ送出する。
【００３３】
結合ユニット１０の中央部１３内に形成された接続回路２４において、各電源ユニット１７ａ、１７ｂからソケット１５ａ、１５ｂを介して入力された直流＋５Ｖの駆動電源は、電源線３０を介して共通にソケット１４ａ、１４ｂを介して各Ｉ／Ｆ交換ユニット１６ａ、１６ｂの各レギュレータ２３ａ、２３ｂに共通に供給される。この場合、各電源ユニット１７ａ、１７ｂの電源の負担率は５０％ずつであるが、素子のバラツキ等で正確に５０％ずつであるとは限らない。
【００３４】
したがって、故障等に起因していずれか一方の電源ユニット１７ａ、１７ｂから電源が供給されなかったとしても、正常な電源ユニット１７ａ、１７ｂから電源が供給される。この場合、逆流防止用のダイオード２６ａ、２６ｂが存在するので、故障が生じた電源ユニット１７ａ、１７ｂに電流が流入することはない。
【００３５】
また、接続回路２４において、各電源ユニット１７ａ、１７ｂからソケット１５ａ、１５ｂを介して入力した状態信号は信号分岐回路２９ａ、２９ｂで分岐されて、ソケット１４ａ、１４ｂを介して各Ｉ／Ｆ交換ユニット１６ａ、１６ｂの各制御回路２２ａ、２２ｂへ転送される。
【００３６】
さらに、接続回路２４において、各Ｉ／Ｆ交換ユニット１６ａ、１６ｂの各制御回路２２ａ、２２ｂからソケット１４ａ、１４ｂを介して入力された警告信号は、信号結合回路２８ａ、２８ｂで結合されて、ソケット１５ａ、１５ｂを介して各電源ユニット１７ａ、１７ｂのリレー出力端子２０ａ、２０ｂへ転送される。
【００３７】
このように構成された第１実施形態の回線網相互接続装置においては、Ｉ／Ｆ変換回路１ａ、１ｂが組込まれたＩ／Ｆ変換ユニット１６ａ、１６ｂ及び電源回路２５ａ、２５ｂが組込まれた２個の電源ユニット１７ａ、１７ｂは結合ユニット１０の各ユニット収納部１１ａ、１１ｂ、１２ａ、１２ｂにソケット１４ａ、１４ｂ、１５ａ、１５ｂを介して簡単に装着でき、かつ簡単に取外せる。
【００３８】
この結合ユニット１０の各ユニット収納部１２ａ、１２ｂに装着された２個の電源ユニット１７ａ、１７ｂから出力される直流５ｖの駆動電源は、結合ユニット１０の中央部１３内に組込まれた接続回路２４の電源線３０を介して各Ｉ／Ｆ変換ユニット１６ａ、１６ｂのレギュレータ２３ａ、２３ｂに常に共通に供給されている。
【００３９】
したがって、２個の電源ユニット１７ａ、１７ｂのうちの一方の電源ユニット１７ａ、１７ｂが故障しても他方の正常な電源ユニット１７ａ、１７ｂから継続して、各Ｉ／Ｆ変換ユニット１６ａ、１６ｂに駆動電源が供給される。よって、各Ｉ／Ｆ変換回路１ａ、１ｂは一瞬も動作を中断することなく、同期回線網２と非同期網３との間のインタフェース変換を実施できる。
【００４０】
また、各Ｉ／Ｆ変換ユニット１６ａ、１６ｂ内には、Ｉ／Ｆ変換回路１ａ、１ｂを専用に制御する制御回路２２ａ、２２ｂが組込まれているので、このＩ／Ｆ変換ユニット１６ａ、１６ｂを結合ユニット１０に装着したり、結合ユニット１０から取外したりしても、動作中の他のＩ／Ｆ変換ユニット１６ａ、１６ｂに悪影響を与えることはない。
【００４１】
すなわち、各Ｉ／Ｆ変換ユニット１６ａ、１６ｂの活線挿脱が可能であるので、ユーザ（通信事業者）宅内に設置された一部のＬＡＮの変更等に起因して、回線網相互接続装置内に組込まれた一つのＩ／Ｆ変換ユニット１６ａ、１６ｂを差し替える必要が生じた場合においても、通信業務に支障を与えることなく、回線網相互接続装置を稼働状態で差し替えを実施することができる。
【００４２】
また、各電源ユニット１７ａ、１７ｂ内には、電源回路２５ａ、２５ｂ等の状態を監視して状態信号を出力する監視回路２７ａ、２７ｂが設けられているので、各Ｉ／Ｆ変換ユニット１６ａ、１６ｂの制御回路２２ａ、２２ｂは各電源ユニット１７ａ、１７ｂの状態を把握できる。そして、制御回路２２ａ、２２ｂは、各電源ユニット１７ａ、１７ｂから入力された状態信号に基づいて故障等を判断して警告信号を結合ユニット１０の接続回路２４を介して各電源ユニット１７ａ、１７ｂへ転送する。この警告信号は最終的にリレー出力端子２０ａ、２０ｂから外部のブザーやパトライト等の警告装置へ入力される。
【００４３】
このように、第１実施形態の回線網相互接続装置においては、必要最小限の部材で、取り扱い性と信頼性を大幅に向上できる。
【００４４】
（第２実施形態）
図４は本発明の第２実施形態に係る回線網相互接続装置の概略構成を示すブロック図である。図３に示す第１実施形態の回線網相互接続装置と同一部分には同一符号を付して重複する部分の詳細説明は省略する。
【００４５】
この第２実施形態の回線網相互接続装置においては、各監視回路２７ａ、２７ｂから出力された状態信号を分岐する信号分岐回路２９ａ、２９ｂは、結合ユニット１０の接続回路２４内ではなくて、各電源ユニット１７ａ、１７ｂ内に設けられている。
【００４６】
同様に、各Ｉ／Ｆ変換ユニット１６ａ、１６ｂの制御回路２２ａ、２２ｂから出力された警告信号を結合する信号結合回路２８ａ、２８ｂは、結合ユニット１０の接続回路２４内ではなくて、各電源ユニット１７ａ、１７ｂ内に設けられている。
【００４７】
なお、その他の構成は先に示した第１実施形態の回線網相互接続装置と同じである。
【００４８】
このように構成された、第２実施形態の回線網相互接続装置においては、結合ユニット１０における接続回路２４が簡素化できるので、簡単に交換ができない結合ユニット１０における故障発生率を大幅に抑制できる。したがって、回線網相互接続装置全体の信頼性をさらに向上できる。
【００４９】
【発明の効果】
以上説明したように、本発明の回線網相互接続装置においては、複数のＩ／Ｆ変換ユニットと２個の電源ユニットとを結合ユニットに同時に活線状態で着脱可能に構成している。
【００５０】
したがって、各Ｉ／Ｆ変換回路を安定して動作させるために必要最小限の部材構成で実現でき、かつ動作中の他のＩ／Ｆ変換回路に悪影響を与えることなく任意のＩ／Ｆ変換回路を交換でき、装置全体の製造費を節減でき、かつ信頼性を向上できる。
【図面の簡単な説明】
【図１】本発明の第１実施形態に係わる回線網相互接続装置の一部を構成する結合ユニットを取出して示す斜視図
【図２】同回線網相互接続装置の結合ユニットの上面図
【図３】同回線網相互接続装置の概略構成を示すブロック図
【図４】本発明の第２実施形態に係わる回線網相互接続装置の概略構成を示すブロック図
【図５】従来の回線網相互接続装置の概略構成を示すブロック図
【図６】他の従来の回線網相互接続装置の概略構成を示すブロック図
【図７】さらに別の従来の回線網相互接続装置の概略構成を示すブロック図
【符号の説明】
１ａ、１ｂ…Ｉ／Ｆ変換回路
２…同期回線網
３…非同期回線網
１０…結合ユニット
１１ａ、１１ｂ、１２ａ、１２ｂ…ユニット収納部
１６ａ、１６ｂ…Ｉ／Ｆ変換ユニット
１７ａ、１７ｂ…電源ユニット
２２ａ、２２ｂ…制御回路
２３ａ、２３ｂ…レギュレータ
２４…接合回路
２５ａ、２５ｂ…電源回路
２６ａ、２６ｂ…ダイオード
２７ａ、２７ｂ…監視回路
２８ａ、２８ｂ…信号結合回路
２９ａ、２９ｂ…信号分岐回路
３０…電源線
【図１】
2004007253.tif 000003
【図２】
2004007253.tif 000004
【図３】
2004007253.tif 000005
【図４】
2004007253.tif 000006
【図５】
2004007253.tif 000007
【図６】
2004007253.tif 000008
【図７】
2004007253.tif 000009